(57)【要約】【課題】器具本体の小型化を図る。【解決手段】本実施形態では、複数の光源部(光源ユニット１)が主部30の短手方向における中央部に寄せて配置される。さらに本体部２は、短手方向において複数(２つ)の光源ユニット１がほぼ収まる幅寸法とされている。そのため、特許文献１記載の従来例と比較して、器具本体(本体部２)の小型化を図ることができる。【選択図】        図１
2013157264.tif 000002
【特許請求の範囲】
【請求項１】
長尺の光源部と、複数の前記光源部を短手方向に並べた状態で支持する器具本体とを備え、前記器具本体は、取付面に取り付けられる本体部と、前記本体部に固定される反射部材とを有し、前記反射部材は、前記光源部が配置される長尺な板状であって、前記複数の光源部の短手方向の幅寸法よりも幅寸法が大きい主部を有し、前記複数の光源部は、前記主部の短手方向における中央部に寄せて配置され、前記本体部は、短手方向において前記複数の光源部がほぼ収まる幅寸法とされていることを特徴とする照明器具。
【請求項２】
前記光源部は、前記主部の反射面と接触する面を除く全ての面から光を放射することを特徴とする請求項１記載の照明器具。
【発明の詳細な説明】
【技術分野】
【０００１】
本発明は、照明器具に関する。
【背景技術】
【０００２】
従来例として、直管形の蛍光ランプを光源とする天井埋込型の照明器具が特許文献１に開示されている。特許文献１記載の従来例は、システム天井の吊りボルトに取り付けられる器具本体と、器具本体に取り付けられる反射板と、蛍光ランプの口金と着脱自在に接続されるランプソケットとを備える。器具本体は、両端にそれぞれ一対のランプソケットが設けられた２つの本体部と、これら２つの本体部を長手方向に並べた状態で結合する接続部材とを有する。つまり、器具本体には、４本の蛍光ランプが長手方向及び短手方向にそれぞれ２本ずつ並べて配置されている。なお、ランプソケットを介して蛍光ランプに電力を供給する点灯装置(安定器)が器具本体に取り付けられ、点灯装置とランプソケットが電線によって接続されている。
【先行技術文献】
【特許文献】
【０００３】
【特許文献１】特開２０１１−４４３９１号公報
【発明の概要】
【発明が解決しようとする課題】
【０００４】
ところで、特許文献１記載の従来例では、蛍光ランプから放射される光を照明空間に効率よく照射するため、短手方向に隣り合う２本の蛍光ランプが離れて配置されている。したがって、特許文献１記載の従来例における器具本体は、２本の蛍光ランプ(光源)の距離に対応して、短手方向の幅寸法が大きくならざるを得なかった。そして、短手方向の幅寸法が大きくなった結果、器具本体の重量が増加し、器具本体の施工性が低下することになる。
【０００５】
本発明は、上記課題に鑑みて為されたものであり、器具本体の小型化を図ることを目的とする。
【課題を解決するための手段】
【０００６】
本発明の照明器具は、長尺の光源部と、複数の前記光源部を短手方向に並べた状態で支持する器具本体とを備え、前記器具本体は、取付面に取り付けられる本体部と、前記本体部に固定される反射部材とを有し、前記反射部材は、前記光源部が配置される長尺な板状であって、前記複数の光源部の短手方向の幅寸法よりも幅寸法が大きい主部を有し、前記複数の光源部は、前記主部の短手方向における中央部に寄せて配置され、前記本体部は、短手方向において前記複数の光源部がほぼ収まる幅寸法とされていることを特徴とする。
【０００７】
この照明器具において、前記光源部は、前記主部の反射面と接触する面を除く全ての面から光を放射することが好ましい。
【発明の効果】
【０００８】
本発明の照明器具は、複数の光源部が主部の短手方向における中央部に寄せて配置され、さらに本体部が、短手方向において複数の光源部がほぼ収まる幅寸法とされているので、特許文献１記載の従来例と比較して、器具本体の小型化を図ることができるという効果がある。
【図面の簡単な説明】
【０００９】
【図１】本発明に係る照明器具の実施形態の断面図である。
【図２】同上を示し、(ａ)は一部省略した側面図、(ｂ)は下面図である。
【図３】(ａ)は器具本体の本体部の平面図、(ｂ)は器具本体の反射部材の平面図である。
【図４】同上の一部省略した断面図である。
【図５】同上における本体部の一部省略した平面図である。
【図６】同上の上面図である。
【図７】同上の下方から見た斜視図である。
【図８】同上の上方から見た斜視図である。
【図９】同上の半断面図である。
【図１０】同上の配線図である。
【図１１】同上の分解斜視図である。
【発明を実施するための形態】
【００１０】
以下、図１〜図１１を参照し、天井に配設される照明器具に本発明の技術思想を適用した実施形態について説明する。ただし、本実施形態では光源として発光ダイオードを例示するが、発光ダイオード以外の光源、例えば、有機エレクトロルミネセンス素子などが用いられても構わない。
【００１１】
本実施形態の照明器具は、図２及び図７に示すように複数(図示例では４つ)の光源部(光源ユニット)１、本体部２及び反射部材３からなる器具本体、点灯装置４などを備える。光源ユニット１は、図４に示すように光源10、放熱部材11、絶縁部材12、取付部材13、カバー14などを備える。光源10は、絶縁材料(例えば、セラミック)によって長尺の板状に形成された実装基板100、実装基板100の表面に実装される複数個の発光ダイオード(以下、ＬＥＤチップと呼ぶ。)、実装基板100の表面に形成される導電体(図示せず)などを有する。複数個のＬＥＤチップは、実装基板100表面の中央部(図４における左右方向の中央部)に長手方向に沿って等間隔且つ直線状に並べて実装される。また、これらのＬＥＤチップは、透光性を有し且つ蛍光材料が混合された合成樹脂製の封止部材で封止されている。すなわち、ＬＥＤチップから放射される光(例えば、青色光)の一部が蛍光材料で波長変換され、波長変換された光(例えば、黄色光)と波長変換されなかった光(青色光)が混ざることにより、光源10から放射される光が全体として白色光となる。
【００１２】
放熱部材11は、長尺の平板状に形成され、絶縁部材12を介して光源10が載置される主片110と、主片110の両端(長手方向に沿った両端)より主片110の厚み方向に延びる一対の側片111とが熱伝導度の高い材料(例えば、アルミ板)によって一体に形成されている。
【００１３】
絶縁部材12は、放熱部材11の主片110と光源10の間に介装される平板部120と、平板部120の両端(長手方向に沿った両端)より光源10に近付く向きに立ち上がる当接部121と、各当接部121の先端より突出する一対の反射部122とが合成樹脂成形体として一体に形成されてなる。一対の反射部122は、当接部121から離れるに従って外側に開くように傾斜し、光源10に対向する下面が反射面となって光源10から放射される光を下方へ反射する。なお、絶縁部材12が放熱部材11の主片110上に載置された状態において、放熱部材11の主片110に設けられた突条部112が挿通される長孔状の挿通孔123が平板部120の中央に貫通している。つまり、挿通孔123に挿通される突条部112が実装基板100に当接し、ＬＥＤチップの発する熱が実装基板100から突条部112を通じて放熱部材11に伝導されて放熱される。
【００１４】
取付部材13は、鋼板などの金属板が曲げ加工されることで略角樋状に形成され、側片111間に収納された状態で放熱部材11に固定される。さらに、取付部材13には取付金具15を用いてレセプタクルコネクタ16が取り付けられている。取付金具15は、レセプタクルコネクタ16を保持する矩形枠状のコネクタ保持部150を有して取付部材13の上側に取り付けられる。
【００１５】
レセプタクルコネクタ16は、光源ユニット１の導電体と電気的に接続された電線(図示せず)が接続される接続端子部と、それぞれにプラグコネクタ41が差し込まれる２つのコネクタ接続部160とを有している。プラグコネクタ41は電線を介して点灯装置４に接続されており、プラグコネクタ41がレセプタクルコネクタ16に挿抜自在に差込接続される。すなわち、プラグコネクタ41がレセプタクルコネクタ16に差込接続されることで点灯装置４と光源ユニット１が電気的に接続され、点灯装置４から光源ユニット１に給電されて光源10が発光(点灯)するのである。
【００１６】
カバー14は、アクリル樹脂やポリカーボネート樹脂などの透光性を有する合成樹脂材料により、底部140と底部140の周囲を囲む側部141を有する長尺の矩形箱状に形成されている。また、長手方向に沿った一対の側部141には、放熱部材11の側片111に形成されている複数の係合突起(図示せず)が係脱自在に係合する複数の係合凹部(図示せず)が形成されている。そして、カバー14は光源10、放熱部材11、絶縁部材12、取付部材13を内部に収納するようにして放熱部材11に被着され、放熱部材11の複数の係合突起が側部の係合凹部に係合することで放熱部材11に固定される。
【００１７】
反射部材３は、図７〜図９に示すように長尺な板状に形成された主部30と、主部30の長手方向に沿った端縁より斜め下向きに突出する一対の側壁部31と、主部30の短手方向に沿った端縁より下向きに突出する一対の終端部32とを有する。そして、主部30に対して取付部材13がねじ止めされることにより、主部30の下面側に４つの光源ユニット１が取り付けられる。ただし、これら４つの光源ユニット１は、長手方向及び短手方向に沿って、各々２つの光源ユニット１が直線状に並べられた状態に配置される。
【００１８】
また、反射部材３の主部30は、光源ユニット１の取付金具15及びレセプタクルコネクタ16が挿通される２つの貫通孔33が長手方向の両端において短手方向に並ぶようにそれぞれ貫設されている(図３(ｂ)参照)。したがって、主部30の下面側に光源ユニット１が取り付けられると、４つの貫通孔33を通して各光源ユニット１のレセプタクルコネクタ16が取付金具15とともに反射部材３(主部30)の上面側に配置される(図１及び図３(ｂ)参照)。
【００１９】
本体部２は、図１〜図４に示すように長尺の角樋状に形成された取付部20と、取付部20の長手方向における両端及び中央にそれぞれ配設される３つの固定部21とを有する。取付部20は、天井裏に配設されている一対の取付ボルト300が各別に挿通されるボルト挿通孔22を有し、各ボルト挿通孔22に挿通される取付ボルト300にナット301が締め付けられることで天井に取り付けられる(図11参照)。また、取付部20の底面には、天井に配線されている電源線200が導入される導入孔23が長手方向のほぼ中央に設けられる。さらに、導入孔23から導入される電源線200が接続される端子台24が取付部20の底面に取り付けられている(図９参照)。
【００２０】
固定部21は、角樋状の胴部210と、胴部210の長手方向の両端より下向きに突出する一対の脚部211とが一体に形成されてなる。胴部210は、底面(下面)に２つのねじ孔214が貫通し、且つ側壁の長手方向における中央に溝212が設けられている。そして、この溝212に取付部20が嵌め込まれる。なお、胴部210には、溝212の内側に向けて突出する一対の爪213が設けられている。一方、取付部20の側面には、一対の爪213がそれぞれ挿通される孔(図示せず)が貫通している。すなわち、取付部20の側面の各孔に爪213が係合することによって、取付部20と固定部21とが結合される(図１参照)。
【００２１】
点灯装置４は、電源線や電線を介して供給される交流電力を直流電力に変換する電力変換回路等が金属製のケースに収納されてなる。ここで、１つの点灯装置４が２つの光源ユニット１を点灯させるので、４つの光源ユニット１を点灯させるために２つの点灯装置４が必要となる。そして、これら２つの点灯装置４は、器具本体の本体部２に取り付けられる。詳しく説明すると、２つの点灯装置４は、端子台24を挟んで長手方向に一列に並ぶようにして、本体部２の取付部20の底面における長手方向の中央部寄りに取り付けられる(図３(ａ)参照)。
【００２２】
点灯装置４は、図５及び図10に示すように、長手方向の一端側に２つの出力端子部40が設けられ、長手方向の他端側に電源端子部41と調光信号用の信号端子部42が設けられている。端子台24に接続される電源線５が分岐され、２つの点灯装置４の電源端子部41にそれぞれ接続される。また、点灯装置４の出力端子部40に接続される電線６の先端にプラグコネクタ７が設けられる。なお、信号端子部42は入力端子と送り端子を備えており、一方の点灯装置４の信号端子部42の入力端子に外部の信号線(図示せず)が接続される。そして、外部の信号線が接続される信号端子部42の送り端子と、他方の点灯装置４の信号端子部42の入力端子とが信号線８で接続される。
【００２３】
ここで、電線６の一部(固定部分60)は、本体部２の長手方向の端部よりも中央部に近い側で取付部20に固定されている(図５参照)。したがって、電線６は、取付部20に固定されている箇所よりも端部側、つまり、プラグコネクタ７が設けられている側が規制されておらず、自由に引き回すことができる(図11参照)。ただし、電線６の固定部分60から先には、保護用のチューブ61が被せられている。
【００２４】
次に、図11を参照して本実施形態の照明器具の施工手順を説明する。取付面である天井400に矩形の埋込孔401が設けられる。ただし、この埋込孔401は、直管形の蛍光ランプを光源とする照明器具が埋込配設される場合の埋込孔と同一の形状及び寸法である。
【００２５】
まず、天井裏に配設されている一対の取付ボルト300が、器具本体の本体部２の取付部20に設けられているボルト挿通孔22に挿通される。そして、ボルト挿通孔22に挿通された各取付ボルト300にナット301が締め付けられることで器具本体の本体部２が取付ボルト300に取り付けられる。それから、本体部２の端子台24に電源線200が接続される。
【００２６】
ここで、反射部材３には２本の紐９の一端が結び付けられている。そして、これら２本の紐９の他端が本体部２に結び付けられることにより、反射部材３が２本の紐９によって本体部２に吊り下げられる。反射部材３が本体部２に吊り下げられた状態で、反射部材３の上面側における長手方向の両端に露出している各一対のレセプタクルコネクタ16にプラグコネクタ７がそれぞれ２つずつ差込接続される。このとき、電線６が自由に引き回すことができるようになっているため、レセプタクルコネクタ16とプラグコネクタ７との接続作業の作業性向上が図れる。
【００２７】
続いて、反射部材３が埋込孔401の中に挿入され、主部30に設けられている複数(図示例では６つ)のねじ挿通孔35にそれぞれ取付ねじ36が下から挿通される。そして、これらの取付ねじ36が本体部２の３つの固定部21に設けられているねじ孔214に締め付けられることにより、反射部材３が本体部２に結合されて器具本体が組み立てられる(図９参照)。その結果、器具本体が天井400の埋込孔401に埋込配設される。
【００２８】
而して、特許文献１記載の従来例では、２本の蛍光ランプ(光源)の距離に対応して、短手方向の幅寸法が大きくならざるを得なかった。一方、本実施形態では、上述のように複数の光源部(光源ユニット１)が主部30の短手方向における中央部に寄せて配置され、さらに本体部２の取付部20が、短手方向において複数(２つ)の光源ユニット１がほぼ収まる幅寸法とされている(図１参照)。つまり、光源ユニット１が中央部に寄せて配置されない場合、光源ユニット１の充電部であるレセプタクルコネクタ16を保護するために、取付部20の幅寸法が大きくなり、本体部２の小型化が困難である。しかしながら、本実施形態では、複数の光源ユニット１が主部30の短手方向における中央部に寄せて配置されているので、取付部20の幅寸法を小さくできる。そのため、特許文献１記載の従来例と比較して、器具本体(本体部２)の小型化を図ることができる。そして、本体部２の小型化に伴って器具本体の軽量化を図ることができ、その結果、器具本体の施工性の向上を図ることができる。
【００２９】
ところで、本実施形態における光源ユニット１では、光源10から放射されてカバー14の主部140に入射した光の一部がカバー14の内部で導光され、側部141からカバー14の外へ出射される。つまり、光源ユニット１は、主部30の反射面と接触する面(上面)を除く全ての面から光を放射することができる。そして、カバー14の側部141から出射される光が、主部30の反射面で下向きに反射されて照明空間に照射されるので、主部30の反射面に暗がりが生じ難くなるという利点がある。なお、反射部材３の反射面は、反射率の高い白色の塗料が塗布される。
【符号の説明】
【００３０】
１  光源ユニット(光源部)
２  本体部
３  反射部材
30  主部
【図１】
2013157264.tif 000003
【図２】
2013157264.tif 000004
【図３】
2013157264.tif 000005
【図４】
2013157264.tif 000006
【図５】
2013157264.tif 000007
【図６】
2013157264.tif 000008
【図７】
2013157264.tif 000009
【図８】
2013157264.tif 000010
【図９】
2013157264.tif 000011
【図１０】
2013157264.tif 000012
【図１１】
2013157264.tif 000013